(57)【要約】【課題】ユーザ操作の負担を軽減することができる情報処理装置を提供する。【解決手段】本発明は、メインディスプレイ上に表示されている情報を選択し、この選択された情報をサブディスプレイ上に表示する。この際、選択された情報の種別に対応するＧＵＩをサブディスプレイ上に表示する。そして、このサブディスプレイ上に表示された情報を編集し、編集された情報をメインディスプレイ上のもとの位置に表示する。【選択図】　　図７
2004005211.tif 000002
【特許請求の範囲】
【請求項１】
メインディスプレイと、
サブディスプレイを具備するタブレット装置と、
前記メインディスプレイ上に表示されている情報を選択する選択手段と、
前記選択された情報を前記サブディスプレイ上で編集する編集手段と、
前記編集手段によって編集された情報を前記メインディスプレイ上に表示する表示手段と
を具備することを特徴とする情報処理装置。
【請求項２】
前記選択された情報の種別を判断する判断手段をさらに具備し、
前記表示手段は、前記判断手段によって判断された情報の種別に対応するＧＵＩ（Ｇｒａｐｈｉｃａｌ　Ｕｓｅｒ　Ｉｎｔｅｒｆａｃｅ）を前記サブディスプレイ上に表示することを特徴とする請求項１記載の情報処理装置。
【請求項３】
前記編集手段は、前記サブディスプレイ上に表示された選択された情報を前記タブレット装置からの指示に基づいて編集することを特徴とする請求項１記載の情報処理装置。
【請求項４】
前記編集手段は、前記サブディスプレイ上に表示された選択された情報を前記タブレット装置以外の入力装置からの指示に基づいて編集することを特徴とする請求項１記載の情報処理装置。
【請求項５】
前記編集手段は、前記サブディスプレイ上に表示された選択された情報を前記ＧＵＩを使用して編集することを特徴とする請求項２記載の情報処理装置。
【請求項６】
前記サブディスプレイ上に表示されている情報は、イメージ情報及び文字情報を含み、
前記イメージ情報を管理する第１の管理部と、前記文字情報を管理する第２の管理部と、及び前記イメージ情報及び文字情報を管理する第３の管理部とをさらに具備し、
前記表示手段は、第１の管理部乃至第３の管理部のうちいずれか１つによって管理された情報を前記メインディスプレイ上に表示することを特徴とする請求項１記載の情報処理装置。
【請求項７】
前記編集手段によって編集された情報をハードディスク装置に記憶する手段をさらに具備することを特徴とする請求項１記載の情報処理装置。
【請求項８】
メインディスプレイと、
サブディスプレイを具備するタブレット装置と、
前記メインディスプレイ上に表示されている情報を選択する選択手段と、
前記選択された情報をリスト形式で所定数管理する選択情報管理部と、
前記選択情報管理部によって管理される所定数の情報のうちいずれか１つを選択する選択手段と、
前記選択手段によって選択された情報を前記サブディスプレイ上に表示する表示手段と、
前記選択手段によって選択された情報を前記メインディスプレイ上に表示する表示手段と
を具備することを特徴とする情報処理装置。
【請求項９】
前記選択情報管理部によって管理される情報を編集する手段をさらに具備することを特徴とする請求項８記載の情報処理装置。
【請求項１０】
前記選択情報管理部によって管理される情報の編集を不許可とする手段をさらに具備することを特徴とする請求項９記載の情報処理装置。
【請求項１１】
前記選択された情報の種別を判断する判断手段をさらに具備し、
前記表示手段は、前記判断手段によって判断された情報の種別に対応するＧＵＩ（Ｇｒａｐｈｉｃａｌ　Ｕｓｅｒ　Ｉｎｔｅｒｆａｃｅ）を前記サブディスプレイ上に表示することを特徴とする請求項８記載の情報処理装置。
【請求項１２】
前記選択情報管理部によって管理される情報をハードディスク装置に記憶する手段をさらに具備することを特徴とする請求項８記載の情報処理装置。
【請求項１３】
メインディスプレイと、サブディスプレイを具備するタブレット装置とを具備する情報処理装置における情報編集方法において、
前記メインディスプレイ上に表示されている情報を選択し、
前記選択された情報を前記サブディスプレイ上で編集し、
前記編集された情報を前記メインディスプレイ上に表示することを特徴とする情報編集方法。
【請求項１４】
前記表示ステップは、
前記選択された情報の種別を判断し、
前記判断された情報の種別に対応するＧＵＩ（Ｇｒａｐｈｉｃａｌ　Ｕｓｅｒ　Ｉｎｔｅｒｆａｃｅ）を前記サブディスプレイ上に表示するステップを具備することを特徴とする請求項１３記載の情報編集方法。
【請求項１５】
メインディスプレイと、サブディスプレイを具備するタブレット装置とを具備する情報処理装置における情報表示方法において、
前記メインディスプレイ上に表示されている情報を選択し、
前記選択された情報をリスト形式で所定数管理し、
前記管理される所定数の情報のうちいずれか１つを選択し、
前記選択された情報を前記サブディスプレイ上に表示することを特徴とする情報表示方法。
【請求項１６】
前記サブディスプレイ上に表示された情報を編集するステップをさらに具備することを特徴とする請求項１５記載の情報表示方法。
【発明の詳細な説明】
【０００１】
【発明の属する技術分野】
本発明は、メインディスプレイの他にサブディスプレイを有するタブレット装置を具備する情報処理装置に関する。
【０００２】
【従来の技術】
近年のＯＳ（Ｏｐｅｒａｔｉｎｇ　Ｓｙｓｔｅｍ）においては、複数のウインドウにおいて、異なるプログラムを実行することができる。ワードプロセッサや表計算ソフトなどのプログラムを実行している場合には、通常、該当するウインドウ上で文字、数字、イメージなどのデータを直接処理する。
【０００３】
しかしながら、入力するデータの種類によっては、より入力に適した別の機能をもつウインドウを表示して、そのウインドウ上でデータを編集した上で、この編集した情報をメモリを介してもとのウインドウに表示することが行なわれている（複数ウインドウで情報を編集する操作）。
【０００４】
例えば、ワードプロセッサ上の画面にイメージを貼り付ける場合に、イメージ入力に適したプログラムを実行する別のウインドウを開き、この別のウインドウ上でイメージデータを編集した上で、この編集したイメージ情報をもとのウインドウに貼り付ける場合が該当する。
【０００５】
また、同じ情報を複数入力する場合には、その情報を一旦メモリに記憶させた上で、「貼り付け（ｐａｓｔｅ）」操作で連続して入力することが行なわれている。このメモリに記憶させた情報を編集して貼り付けた場合、従来、情報を編集するウインドウを開き、メモリから編集ウインドウに情報を貼り付け、この編集ウインドウ上で情報を編集する。そして、この編集した情報を再度メモリに記憶させ、メインのウインドウに切り替えた後、貼り付けたい位置にポインタを移動して、貼り付けを実行している（メモリに記憶させた情報を編集する操作）。
【０００６】
一方、近年、特開平２０００−３３９０９７号公報に示されるように、メインディスプレイとは別にサブディスプレイを有するタブレット装置を具備する情報処理装置が開発されている。
【０００７】
この情報処理装置においては、サブディスプレイ上において、イメージ情報、文字情報、数値情報などの入力、時計表示などの機能を実現するものである。
【０００８】
【発明が解決しようとする課題】
しかしながら、上述の複数ウインドウで情報を編集する操作は、複数のウインドウを介して操作を行なうため、情報を入力して目的のウインドウに編集した情報を配置するまでに、ポインティング操作、ウインドウの表示、切替操作を必要とし、ユーザ操作が煩雑になるという問題があった。
【０００９】
また、メモリに記憶させた情報を編集する操作についても、同様に、ポインティング操作、ウインドウの表示、切替操作を必要とし、ユーザ操作が煩雑になるという問題があった。
【００１０】
一方、上記特開平２０００−３３９０９７号公報に開示された情報処理装置によれば、サブディスプレイ上において、イメージ情報、文字情報、数値情報などの入力、時計表示などの機能を実現することができるが、メインディスプレイ上に表示された情報をサブディスプレイ上に表示して、編集した後に、その編集された情報をメインディスプレイ上に表示することまでも開示するものではないので、上述の複数ウインドウで情報を編集する操作及びメモリに記憶させた情報を編集する操作における問題点を解決することができるものではない。
【００１１】
本発明は、上記実情に鑑みてなされたものであり、ユーザ操作の負担を軽減することができる情報処理装置を提供することを目的とする。
【００１２】
【課題を解決するための手段】
上記目的を達成するために、本発明は、メインディスプレイと、サブディスプレイを具備するタブレット装置と、前記メインディスプレイ上に表示されている情報を選択する選択手段と、前記選択された情報を前記サブディスプレイ上で編集する編集手段と、前記編集手段によって編集された情報を前記メインディスプレイ上に表示する表示手段とを具備することを特徴とする情報処理装置、である。
【００１３】
また、本発明は、メインディスプレイと、サブディスプレイを具備するタブレット装置と、前記メインディスプレイ上に表示されている情報を選択する選択手段と、前記選択された情報をリスト形式で所定数管理する選択情報管理部と、前記選択情報管理部によって管理される所定数の情報のうちいずれか１つを選択する選択手段と、前記選択手段によって選択された情報を前記サブディスプレイ上に表示する表示手段と、前記選択手段によって選択された情報を前記メインディスプレイ上に表示する表示手段とを具備することを特徴とする情報処理装置、である。
【００１４】
【発明の実施の形態】
以下、図面を参照して、本発明の実施の形態に係る情報処理装置について説明する。
【００１５】
本発明は、マウスポインタ等が表示されるディスプレイデバイス（メインディスプレイ）とは別に、ＬＣＤ等の表示パネル（サブディスプレイ）とタブレットとを一体に設けた表示一体型のポインティングデバイスを設けて、このデバイス上で各種設定画面、操作画面の設定、操作を行うことを可能にしたことを特徴とする。この表示一体型のポインティングデバイスとして、「ＳＹＮＡＰＴＩＣＳ」社の「ｃＰａｄ」（登録商標）が存在する（ｈｔｔｐ：／／ｗｗｗ．ｓｙｎａｐｔｉｃｓ．ｃｏｍ／ｐｒｏｄｕｃｔｓ／ｃｐａｄ．ｃｆｍ参照）。本発明の実施形態では、表示一体型のポインティングデバイスに上記ｃＰａｄ（以下ｃＰａｄデバイスと称す）を用いた構成を例に説明を行う。
【００１６】
図１は、本発明の実施形態に於ける情報処理装置の外観構成を示す斜視図であり、ここでは、ノートブック型パーソナルコンピュータを例に示している。
【００１７】
この図１に示す、本発明の実施形態によるコンピュータは、コンピュータ本体１１と、ディスプレイユニット１２とから構成されている。ディスプレイユニット１２には、ＬＣＤからなるディスプレイスクリーン（メインディスプレイ）１２１が組み込まれている。
【００１８】
このディスプレイユニット１２は、コンピュータ本体１１に対して開放位置と閉塞位置との間を回動自在に取り付けられている。コンピュータ本体１１は薄い箱形の筐体を有しており、その筐体上面には、キーボード１１１が配置され、キーボード１１１の手前の筐体部分上面でアームレストを形成している。この、アームレストのほぼ中央部に、本発明に係る、表示一体型のポインティングデバイスとして用いられる上記ｃＰａｄデバイス１１２が、そのｃＰａｄデバイスに含まれるレフト（左）ボタン１１３ａ、ライト（右）ボタン１１３ｂ、およびミドル（中）ボタン１１３ｃとともに配置されている。
【００１９】
さらに、このコンピュータ本体１１の上面には、このコンピュータ本体１１の電源をオン／オフするためのパワーボタン１１４が設けられている。
【００２０】
図２は、上記図１に示したコンピュータのシステム構成を示すブロック図である。このコンピュータには、図示するように、ＣＰＵ２０１、ホストブリッジ２０２、主メモリ２０３、グラフィクスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、エンベデッドコントローラ／キーボードコントローラＩＣ（ＥＣ／ＫＢＣ）２１１、および電源コントローラ２１３等が設けられている。
【００２１】
ＵＳＢコントローラ２１０には、上記したｃＰａｄデバイス１１２が接続されている。このｃＰａｄデバイス１１２は、タッチパッド１１２ａと、表示部１１２ｂと、バックライト１１２ｃとが一体化され、レフト（左）ボタン１１３ａ、ライト（右）ボタン１１３ｂ、およびミドル（中）ボタン１１３ｃを有する。
【００２２】
ＣＰＵ２０１は、本コンピュータの動作を制御するために設けられたもので、ハードディスクドライブ（ＨＤＤ）２０８から主メモリ２０３にロードされたオペレーティングシステムおよびアプリケーションプログラム／ユーティリティプログラムを実行する。この実施形態では、図５、図１３及び図１４に示す処理を実行する。これら図５、図１３及び図１４に示す実行処理については後述する。ホストブリッジ２０２はＣＰＵ２０１のローカルバスとＰＣＩバス１との間を双方向で接続するブリッジデバイスである。
【００２３】
グラフィクスコントローラ２０４は本コンピュータのディスプレイモニタとして使用されるメインディスプレイ１２１を制御する。また、グラフィクスコントローラ２０４は外部ディスプレイの接続ポートに外部ディスプレイ１０６が接続されたとき、当該外部ディスプレイ１０６を制御する。
【００２４】
Ｉ／Ｏコントローラ２０７はハードディスクドライブ（ＨＤＤ）２０８、ＣＤ−ＲＯＭドライブ２０９等を制御する。ＰＣＩ−ＩＳＡブリッジ２０６はＰＣＩバス１とＩＳＡバス２を双方向で接続するブリッジデバイスであり、ここには例えばシステムタイマ、ＤＭＡコントローラ、割り込みコントローラなどの各種システムデバイスも内蔵されている。
【００２５】
エンベデッドコントローラ／キーボードコントローラＩＣ（ＥＣ／ＫＢＣ）２１１は、電力管理のためのエンベデッドコントローラ（ＥＣ）とキーボード１１１を制御するためのキーボードコントローラ（ＫＢＣ）とが集積された１チップマイクロコンピュータである。このエンベデッドコントローラ／キーボードコントローラＩＣ（ＥＣ／ＫＢＣ）２１１は、電源コントローラ２１３と協同して、ユーザによるパワーボタン１１４の操作に応じて本コンピュータをパワーオン／パワーオフする機能を有している。
【００２６】
図３は、メインメモリ２０３に格納される情報を示す図である。
【００２７】
同図に示すように、メインメモリ２０３には、文字情報管理部２１、イメージ情報管理部２２、文字及びイメージ情報管理部２３及び履歴情報管理部２４を具備する。
【００２８】
文字情報管理部２１は、メインディスプレイ上で選択された情報のうちの文字情報（数値情報を含む）（２１−１ａ、２１−２ａ、２１−３ａ・・・）を格納するとともに、この文字情報（２１−１ａ、２１−２ａ、２１−３ａ・・・）に対応する変更許可フラグ（２１−１ｂ、２１−２ｂ、２１−３ｂ・・・）を格納する。これら変更許可フラグ（２１−１ｂ、２１−２ｂ、２１−３ｂ・・・）は、対応する文字情報が変更可能か否かを示すものであり、ユーザによって、自由に設定することができる。
【００２９】
イメージ情報管理部２２は、メインディスプレイ上で選択された情報のうちのイメージ情報（２２−１ａ、２２−２ａ、２２−３ａ・・・）を格納するとともに、このイメージ情報（２２−１ａ、２２−２ａ、２２−３ａ・・・）に対応する変更許可フラグ（２２−１ｂ、２２−２ｂ、２２−３ｂ・・・）を格納する。これら変更許可フラグ（２２−１ｂ、２２−２ｂ、２２−３ｂ・・・）は、対応するイメージ情報が変更可能か否かを示すものであり、ユーザによって、自由に設定することができる。
【００３０】
文字及びイメージ情報管理部２３は、メインディスプレイ上で選択された情報（文字情報及びイメージ情報）（２３−１ａ、２３−２ａ、２３−３ａ・・・）を格納するとともに、この文字及びイメージ情報（２３−１ａ、２３−２ａ、２３−３ａ・・・）に対応する変更許可フラグ（２３−１ｂ、２３−２ｂ、２３−３ｂ・・・）を格納する。これら変更許可フラグ（２３−１ｂ、２３−２ｂ、２３−３ｂ・・・）は、対応する文字及びイメージ情報が変更可能か否かを示すものであり、ユーザによって、自由に設定することができる。
【００３１】
例えば、文字情報とイメージ情報とが混在する情報が選択された場合には、文字情報については文字情報管理部２１に格納され、イメージ情報についてはイメージ情報管理部２２に格納され、文字情報とイメージ情報との双方が文字及びイメージ情報管理部２３に格納される。
【００３２】
履歴情報管理部２４は、文字情報管理部２１、メイン情報管理部２２及び文字及びイメージ情報管理部２３によって管理される情報を、図４に示すように、リスト形式で管理する。このリストは、基本的には、メインディスプレイから情報を選択した順番に格納されるが、後に述べるＧＵＩによって、ユーザから編集することが可能である。また、図４において、３１は、サブディスプレイ上に表示される対象となる情報を示すポインタであり、ここでは、「文字及びイメージ情報１」がサブディスプレイに表示される対象となる情報であることを示している。
【００３３】
このポインタ３１も、後に述べるＧＵＩによって、移動可能である。また、ポインタ３１はトグル形式で移動する。
【００３４】
次に、本発明の実施の形態に係る情報処理装置の動作について、図５のフロチャートを参照して説明する。
【００３５】
最初に、メインディスプレイ上に表示された情報を選択することにより、サブディスプレイ（ｃＰａｄ）上に表示し、この表示された情報を編集した後に、メインディスプレイ上に表示する動作について説明する。
【００３６】
まず、メインディスプレイ上に表示された編集対象となる情報（イメージ情報、数値情報、文字情報など）を選択する（Ｓ１）。
【００３７】
例えば、図６に示すように、メインディスプレイ１２１上の表計算ソフト上においてイメージ情報Ａ，数値情報Ｂ及び文字情報Ｃが表示されている場合に、ｃＰａｄデバイス１１２のポインティング機能によって、編集対象となるいずれかのデータを選択する。
【００３８】
その後、選択された情報は、メインメモリ２０３に格納される（Ｓ２）。例えば、図６に示した例についていえば、イメージ情報Ａが選択された場合には、その情報はイメージ情報管理部２２に格納されるとともに、履歴情報管理部２４によって、その選択された情報が管理される。
【００３９】
また、数値情報Ｂ及び文字情報Ｃが選択された場合には、その情報は文字情報管理部２１に格納されるとともに、履歴情報管理部２４によって、その選択された情報が管理される。また、この時、履歴情報管理部２４によって管理されるポインタ３１は、最後に格納された情報を示す位置に移動する。
【００４０】
その後、選択された情報の種別の判断（イメージ、数値、文字情報）が行なわれる（Ｓ３）。Ｓ３において、判断された情報の種別に基づいて、選択された情報の編集に適したＧＵＩがｃＰａｄデバイス１１２のサブディスプレイ上に表示される（Ｓ４）。
【００４１】
図８乃至図１０は、情報の種別に応じて表示されるＧＵＩを示す図である。
【００４２】
図８は、選択された情報が数値情報である場合に表示されるＧＵＩであって、電卓の機能を実現するものである。例えば、このサブディスプレイに表示された電卓上において数値計算を行ない、その結果をメインディスプレイに貼り付けることができる。
【００４３】
なお、図８において、編集ボタン３１は、メインメモリに記憶されたリストを編集するものであり、この機能については後述する。終了ボタン３６は、この編集ＧＵＩを閉じるためのものである
図９は、選択された情報がイメージ情報である場合に表示されるＧＵＩであって、このＧＵＩ上でイメージ情報の編集が可能になる。このイメージ情報の編集は、例えば、ｃＰａｄデバイス１１２のタブレット機能を利用して、サブディスプレイ上から直接編集しても良いし、他の入力装置から編集してもよく、その方法は問わない。
【００４４】
なお、図９において、ボタン３２は、編集対象となる情報の編集が許可されているか否かを示すものであり、ここでは、編集が許可されていない場合を示している。なお、このボタン３２をタッチすることで、ｃＰｐａｄ装置１１２のタブレット機能を使用して、編集の許可／不許可を切り替えることができ、その結果は、メインメモリ上において管理されている変更許可フラグに反映される。
【００４５】
ボタン３３は、編集の対象を示すボタンであり、ここでは、イメージ情報の編集を行なう場合を示している。なお、このボタン３３をタッチすることで、ｃＰｐａｄ装置１１２のタブレット機能を使用して、編集対象をイメージ情報と文字情報とに切り替えることができる。
【００４６】
ボタン３４ａ，３４ｂは、情報管理部によって管理され、サブディスプレイに表示される情報を選択するものである。ここでは、ボタン３４ａを押す毎に、履歴情報管理部によって管理されるリストのポインタが１つ戻り、ボタン３４ｂを押す毎に、履歴情報管理部によって管理されるリストのポインタが１つ進み、その結果、サブディスプレイ上にポインタが示す情報が表示され、ユーザは、このサブディスプレイ上に表示される情報を見ることにより、情報を選択することができる。表示部３５は、サブディスプレイに表示されるリスト番号を表示するものである。また、サブディスプレイに表示される情報を切り替えた場合には、その切り替えられた情報の種別に対応するＧＵＩが表示される。
【００４７】
図１０は、編集対象が文字情報である場合のＧＵＩを示す図である。ここでは、ボタン３２によって、文字情報が編集可能であることが示されており、ボタン３３によって、編集対象が文字情報であることが示され、編集対象となる文字情報のリスト番号が「８８」であることが示されている。
【００４８】
Ｓ４の処理の後、選択された情報がサブディスプレイ上に表示される（Ｓ５）。例えば、図６に示したメインディスプレイ上において、文字情報Ｃが選択された場合には、図７に示すような画面がサブディスプレイに表示される。なお、図７においては、文字情報に対応するＧＵＩが表示され、かつ、この文字情報は編集可能であり、編集対象は文字情報であることが示されている。
【００４９】
文字情報の編集方法としては、例えば、ｃＰａｄデバイス１１２のタブレット機能を使用して、ユーザがサブディスプレイ上で直接、文字を入力・編集してもよく、また、キーボード上から入力・編集してもよい。
【００５０】
なお、編集する文字情報の位置を示す編集カーソルの位置は、ｃＰａｄデバイス１１２からも、他の入力装置からも指定することができるものとする。
【００５１】
また、図７においては、メインディスプレイ上において選択された文字情報が一画面上に収まる場合を示しているが、選択した情報がサブディスプレイの一画面上に収まらない場合には、サブディスプレイの画面上にスクロールバーを表示して、スクロール表示をしてもよい。また、選択した情報を縮小して表示したり、或いは拡張して表示しても良い。これら表示方法は、ユーザによって、任意に選択することができる。
【００５２】
次に、サブディスプレイ上において、文字情報の編集が行なわれる（Ｓ６）。この編集方法は、サブディスプレイ上のＧＵＩを使用して行なってもよいし、他の入力装置を使用してもよく、その方法は問わない。
【００５３】
Ｓ６の処理の後、編集ボタンが選択されたか否かの判断が行なわれた後（Ｓ７）、選択されていないと判断された場合に、編集された情報が、メインディスプレイの元の位置に貼り付けられる（Ｓ８）。図１１は、サブディスプレイ上で「僕は猫です」の文字を「僕はねずみです」の文字に編集して、メインディスプレイの元の位置に貼り付けた場合を示す図である。
【００５４】
次に、Ｓ７において編集ボタンが選択された場合、図１２に示すようなサブディスプレイ上にメインメモリに管理されているリスト情報を編集するための画面が表示される。
【００５５】
同図においては、文字情報を編集するための設定画面であり、項目４１は、フォント、文字の大きさなどを指定するためのものである。
【００５６】
ボタン４２は、文字情報を情報処理装置のＨＤＤに記憶するためのものである。ボタン４３は、ＨＤＤ上に記憶されたリスト情報を読み出すためのものである。ボタン４４は、リスト形式で管理されてメインメモリ上に格納されている情報のうち、ポインタ３１が示している情報の前或いは後に新たな情報を挿入するためのものである。ボタン４５は、ポインタ３１が示している情報を削除するためのものである。
【００５７】
ボタン４６は、設定画面における設定を有効にするためのものであり、ボタン４７は、設定画面における設定を無効にするためのものである。
【００５８】
Ｓ７において編集ボタンが選択された場合、まず、保存ボタン４２が選択されたか否かの判断が行なわれる（Ｓ９）。Ｓ９において、保存ボタンが選択された場合には、メインメモリにおいて管理されているリスト情報をＨＤＤ上に記憶する（Ｓ１０）。
【００５９】
一方、Ｓ９において、保存ボタンが選択されていない場合、或いはＳ１０における処理が終了した後は、次に、読み出しボタン４３が選択されているか否かの判断が行なわれる（Ｓ１１）。
【００６０】
Ｓ１１において、読み出しボタン４３が選択されていると判断された場合には、ＨＤＤからリスト情報を読み出す（Ｓ１２）。
【００６１】
一方、Ｓ１１において、読み出しボタン４３が選択されていない場合、或いはＳ１１における処理が終了した後は、次に、挿入ボタン４４が選択されているか否かの判断が行なわれる（Ｓ１３）。
【００６２】
Ｓ１３において、挿入ボタン４４が選択されていると判断された場合には、リスト形式で管理されてメインメモリ上に格納されている情報のうち、ポインタ３１が示している情報の前或いは後に新たな情報を挿入する（Ｓ１４）。
【００６３】
一方、Ｓ１３において、挿入ボタン４４が選択されていない場合、或いはＳ１４における処理が終了した後は、次に、削除ボタン４５が選択されているか否かの判断が行なわれる（Ｓ１５）。
【００６４】
Ｓ１５において、削除ボタン４５が選択されていると判断された場合には、ポインタによって示されている現在のリストを削除する（Ｓ１６）。
【００６５】
一方、Ｓ１５において、削除ボタン４５が選択されていないと判断された場合、或いはＳ１６におけう処理が終了した後は、次に、ＯＫボタン４６が選択されたか否かの判断が行なわれる（Ｓ１７）。
【００６６】
Ｓ１７において、ＯＫボタン４６が選択されていると判断された場合には、編集内容をメモリに反映して（Ｓ１８）、Ｓ８の処理に移る。一方、Ｓ１７において、ＯＫボタン４６が選択されていないと判断された場合には、次に、キャンセルボタン４７が選択されたか否かの判断が行なわれる（Ｓ１９）。
【００６７】
Ｓ１９において、キャンセルボタン４７が選択されている場合には、Ｓ８の処理へ移り、選択されていない場合には、Ｓ９の処理へ移る。
【００６８】
したがって、本発明の実施の形態に係る情報処理装置によれば、ｃＰａｄデバイス上でメインディスプレイ上で選択された情報を編集し、この編集された情報をメインディスプレイ上に表示することができるので、ウインドウを開く操作、ウインドウの切替操作、ポインティング操作などを省略することができ、その結果、ユーザ操作の負担軽減を図ることができる。
【００６９】
また、選択された情報を管理するリストをユーザがｃＰａｄデバイス上で編集することができるので、選択された情報を表示するためのウインドウを、再度、開く必要がなく、その結果、ユーザの操作の負担を軽減することができる。
【００７０】
さらに、メモリに記憶された情報の全部又は一部を情報処理装置のＨＤＤに記憶することができるので、電源を落としたば場合にも、再度、ＨＤＤから当該情報を読み出すことにより、ユーザの作業効率を向上させることができる。
【００７１】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００７２】
【発明の効果】
以上詳記したように、本発明によれば、ユーザ操作の負担を軽減することができる情報処理装置を提供することができる。
【図面の簡単な説明】
【図１】本発明の実施形態に於ける情報処理装置の外観構成を示す斜視図である。
【図２】図１に示したコンピュータのシステム構成を示すブロック図である。
【図３】メインメモリ２０３に格納される情報を示す図である。
【図４】履歴情報管理部２４によって管理される情報を示す図である。
【図５】本発明の実施の形態に係る情報処理装置の動作について説明するためのフロチャートである。
【図６】メインディスプレイ上に表示される情報を示す図である。
【図７】文字情報Ｃを選択した場合のサブディスプレイの表示画面を示す図である。
【図８】数値情報に対応するＧＵＩを示す図である。
【図９】イメージ情報に対応するＧＵＩを示す図である。
【図１０】文字情報に対応するＧＵＩを示す図である。
【図１１】編集された文字情報を貼り付けた場合のメインディスプレイの表示画面を示す図である。
【図１２】メインメモリに管理されているリスト情報を編集するための画面を示す図である。
【図１３】リスト情報を編集するための処理を説明するためのフロチャートである。
【図１４】リスト情報を編集するための処理を説明するためのフロチャートである。
【符号の説明】
１１…コンピュータ本体、
１２…ディスプレイユニット、
２１…文字情報管理部、
２２…イメージ情報管理部、
２３…文字及びイメージ情報管理部、
２４…履歴情報管理部、
３１…ポインタ、
１１２…ｃＰａｄデバイス、
１１３ａ…レフト（左）ボタン、
１１３ｂ…ライト（右）ボタン、
１１３ｃ…ミドル（中）ボタン、
１１４…パワーボタン、
２０１…ＣＰＵ、
２０２…ホストブリッジ、
２０３…メインメモリ、
Ａ…イメージ情報、
Ｂ…数値情報、
Ｃ…文字情報。
【図１】
2004005211.tif 000003
【図２】
2004005211.tif 000004
【図３】
2004005211.tif 000005
【図４】
2004005211.tif 000006
【図５】
2004005211.tif 000007
【図６】
2004005211.tif 000008
【図７】
2004005211.tif 000009
【図８】
2004005211.tif 000010
【図９】
2004005211.tif 000011
【図１０】
2004005211.tif 000012
【図１１】
2004005211.tif 000013
【図１２】
2004005211.tif 000014
【図１３】
2004005211.tif 000015
【図１４】
2004005211.tif 000016